(57)【要約】【課題】球を球貯蔵室から円滑に払い出させる。【解決手段】球貯蔵室１０に球を入れた状態において、球貯蔵室１０から供給口１７に向けて移動する球から受ける球圧の方向と、球貯蔵室１０から供給口１７を経由して取込部１８の受空間部１９に流れ込んで螺旋払出体４７で前後に分けられるとともに螺旋体５２の隙間に分離されて１個ずつ取り込まれた球を球出口２６に向けて移動する方向とが、同じ方向となるように、球払出機構３の螺旋払出体４７が払出モータ４６で正転方向に駆動されることによって、球貯蔵室１０に存在する球および受空間部１９に存在する球から螺旋払出体４７に作用する負担が軽くなり、螺旋払出体４７が円滑に回転して球詰まりを発生しにくいという利点がある。【選択図】図１
2006006518.tif 000002
【特許請求の範囲】
【請求項１】
遊技機枠の裏面に設けられるタンク構造体が、遊技機枠を取り付ける遊技機設置構造体の補給機構から排出される球を貯蔵する上方に開放した箱形の球貯蔵室と、球貯蔵室の底壁における遊技機枠の裏面と平行な左右方向の一側部で遊技機枠の裏面と直交する前後方向の中央部に位置して左右方向に横長に形成されて球貯蔵室から球を落下する供給口と、球貯蔵室の周囲から供給口に向けて接触する球を流下させる斜面に形成された底壁における底面と、供給口の縁部から下方に連接して窪む左右方向に横長な受空間部を囲むように球貯蔵室の底壁から下方に突出した取込部と、取込部における受空間部の左右方向の一側部を塞ぐ外壁に形成された払出体挿入孔と、取込部における受空間部の左右方向の他側部を塞ぐ内壁に形成された払出体軸受孔と、取込部における受空間部の底部において受空間部の左右方向の一側部を塞ぐ外壁の側に位置して形成された球出口とを備え、払出モータの出力軸に結合された丸棒の外周面に丸棒の軸心方向に球を１個ずつ分離する間隔で当該丸棒の外周面から径方向外側に螺旋形状に突出した螺旋体を備えた螺旋払出体が、外壁の外側から払出体挿入孔を経由して受空間部に挿入され、受空間部に挿入された螺旋払出体の先端部における軸部が、受空間部から内壁の払出体軸受孔に回転可能に嵌め込まれて支持され、払出モータのモータケースが取込部を含むタンク構造体の外側面に取り付けられ、螺旋払出体が球貯蔵室から供給口に向けて移動する球から受ける球圧の方向と球貯蔵室から供給口を経由して取込部の受空間部に流れ込んで螺旋払出体で前後に分けられるとともに螺旋体の隙間に分離されて１個ずつ取り込まれた球を球出口に向けて移動する方向とが同じ方向となるように払出モータで正転方向に駆動されることを特徴とする遊技機のタンク払出装置。
【請求項２】
球貯蔵室には球貯蔵室から供給口への球の流入を阻止する庇が球出口の真上に位置して設けられたことを特徴とする請求項１記載の遊技機のタンク払出装置。
【請求項３】
取込部の受空間部において螺旋払出体で供給口に向けて移動する球による球噛みが発生した場合、螺旋払出体が払出モータで逆転方向に駆動される構成であって、取込部における受空間部の左右方向の他側部を塞ぐ内壁には払出モータで逆転方向に駆動される螺旋払出体の螺旋体で球出口の側から内壁の側に移動する球を受け入れる退避孔が形成されたことを特徴とする請求項１記載の遊技機のタンク払出装置。
【請求項４】
取込部の球出口から下方に排出される球を検出する払出球検出機構が球出口の真下に設けられたことを特徴とする請求項１記載の遊技機のタンク払出装置。
【請求項５】
払出球検出機構が、タンク構造体に取り付けられる払出検出機構躯体と、払出検出機構躯体の内部に装着された一体の払出球検出器とを備え、払出球検出器が、螺旋払出体の前後から球出口を経由して排出される球を個別に通過させて電気的に検出するための複数の球検出孔と、複数の球検出孔を通過する球を検出する検出素子への電気的な入出力線を接続するための一体のコネクタとを備えたことを特徴とする請求項４記載の遊技機のタンク払出装置。
【発明の詳細な説明】
【技術分野】
【０００１】
本発明は、パチンコ機やスロットマシンのようなパチンコ球と呼ばれる球を遊技媒体として使用する遊技機の遊技機枠の裏面に設けられたタンク構造体が、遊技機枠を取り付けた遊技機設置構造体の補給機構から供給される球を貯蔵する球貯蔵室と、丸棒の外周面に丸棒の軸心方向に球を１個ずつ分離する間隔で当該丸棒の外周面から径方向外側に螺旋形状に突出した螺旋体の有る螺旋払出体とを備え、螺旋払出体が払出モータで一方向に駆動されることによって、球貯蔵室から球を円滑に払い出すことができる遊技機のタンク払出装置に関する。
【背景技術】
【０００２】
パチンコ機のタンク払出装置は、貯留タンクの底面に開口部を形成し、開口部の下部に位置するように、貯留タンクの下部に排出装置を設け、排出装置が排出装置本体の内部にスパイラル機構体を備え、排出装置本体の外部に駆動モータを備え、貯留タンクの球が開口部を経由して排出装置本体の内部のスパイラル機構体に供給された状態において、駆動モータがスパイラル機構体を周方向に回転するように一方向に駆動することによって、球を１個ずつ分離して貯留タンクから排出球検出器へと払い出している。しかしながら、スパイラル機構体が貯留タンクから開口部に向けて移動する球から受ける球圧の方向と貯留タンクから開口部を経由して排出装置本体の内部空間に流れ込んでスパイラル機構体で前後に分けられるとともにスパイラル機構体の隙間に分離されて１個ずつ取り込まれた球を排出球検出器に向けて移動する方向とが逆の方向になった構造であるので、スパイラル機構体に負担がかかり過ぎ、球詰まりを発生しやすいという欠点がある。
【特許文献１】特開平８−１０４１５号公報
【発明の開示】
【発明が解決しようとする課題】
【０００３】
発明が解決しようとする問題点は、球詰まりを発生しやすいという点である。
【課題を解決するための手段】
【０００４】
本発明に係る遊技機のタンク払出装置は、遊技機枠の裏面に設けられるタンク構造体が、遊技機枠を取り付ける遊技機設置構造体の補給機構から排出される球を貯蔵する上方に開放した箱形の球貯蔵室と、球貯蔵室の底壁における遊技機枠の裏面と平行な左右方向の一側部で遊技機枠の裏面と直交する前後方向の中央部に位置して左右方向に横長に形成されて球貯蔵室から球を落下する供給口と、球貯蔵室の周囲から供給口に向けて接触する球を流下させる斜面に形成された底壁における底面と、供給口の縁部から下方に連接して窪む左右方向に横長な受空間部を囲むように球貯蔵室の底壁から下方に突出した取込部と、取込部における受空間部の左右方向の一側部を塞ぐ外壁に形成された払出体挿入孔と、取込部における受空間部の左右方向の他側部を塞ぐ内壁に形成された払出体軸受孔と、取込部における受空間部の底部において受空間部の左右方向の一側部を塞ぐ外壁の側に位置して形成された球出口とを備え、払出モータの出力軸に結合された丸棒の外周面に丸棒の軸心方向に球を１個ずつ分離する間隔で当該丸棒の外周面から径方向外側に螺旋形状に突出した螺旋体を備えた螺旋払出体が、外壁の外側から払出体挿入孔を経由して受空間部に挿入され、受空間部に挿入された螺旋払出体の先端部における軸部が、受空間部から内壁の払出体軸受孔に回転可能に嵌め込まれて支持され、払出モータのモータケースが取込部を含むタンク構造体の外側面に取り付けられ、螺旋払出体が球貯蔵室から供給口に向けて移動する球から受ける球圧の方向と球貯蔵室から供給口を経由して取込部の受空間部に流れ込んで螺旋払出体で前後に分けられるとともに螺旋体の隙間に分離されて１個ずつ取り込まれた球を球出口に向けて移動する方向とが同じ方向となるように払出モータで正転方向に駆動されることを最も主要な特徴とする。また、本発明に係る遊技機のタンク払出装置は、球貯蔵室には球貯蔵室から供給口への球の流入を阻止する庇が球出口の真上に位置して設けられたり、取込部の受空間部において螺旋払出体で供給口に向けて移動する球による球詰まりが発生した場合、螺旋払出体が払出モータで逆転方向に駆動される構成であって、取込部における受空間部の左右方向の他側部を塞ぐ内壁には払出モータで逆転方向に駆動される螺旋払出体の螺旋体で球出口の側から内壁の側に移動する球を受け入れる退避孔が形成されたり、取込部の球出口から下方に排出される球を検出する払出球検出機構が球出口の真下に設けられたり、払出球検出機構が、タンク構造体に取り付けられる払出検出機構躯体と、払出検出機構躯体の内部に装着された一体の払出球検出器とを備え、払出球検出器が、螺旋払出体の前後から球出口を経由して排出される球を個別に通過させて電気的に検出するための複数の球検出孔と、複数の球検出孔を通過する球を検出する検出素子への電気的な入出力線を接続するための一体のコネクタとを備えたりすることも特徴とする。
【発明の効果】
【０００５】
本発明に係る遊技機のタンク払出装置は、タンク構造体の球貯蔵室の供給口から下方に突出した取込部の受空間部に配置された螺旋払出体が、球貯蔵室から供給口に向けて移動する球から受ける球圧の方向と球貯蔵室から供給口を経由して取込部の受空間部に流れ込んで螺旋払出体で前後に分けられるとともに螺旋体の隙間に分離されて１個ずつ取り込まれた球を球出口に向けて移動する方向とが同じ方向となるように払出モータで正転方向に駆動されるので、螺旋払出体への負担が軽減され、螺旋払出体が円滑に回転し、球詰まりを発生しにくく、球貯蔵室から球を円滑に払い出すことができるという利点がある。球貯蔵室には球貯蔵室から供給口への球の流入を阻止する庇が球出口の真上に位置して設けられれば、螺旋払出体への負担を一層軽減することができるという利点がある。取込部の受空間部において螺旋払出体で供給口に向けて移動する球による球詰まりが発生した場合、螺旋払出体が払出モータで逆転方向に駆動される構成であって、取込部における受空間部の左右方向の他側部を塞ぐ内壁には払出モータで逆転方向に駆動される螺旋払出体の螺旋体で球出口の側から内壁の側に移動する球を受け入れる退避孔が形成されれば、退避孔が設けられていない場合に比べ、払出モータの逆転と正転とによる球の往復移動距離が大きくなり、この大きな往復移動距離を球が移動することによって、球詰まりを適切に解消することができるという利点がある。取込部の球出口から下方に排出される球を検出する払出球検出機構が球出口の真下に設けられれば、タンク払出装置の上下寸法を小さくすることができるうえ、球が球出口から払出球検出機構を通過するまでの時間を短くすることができるという利点がある。払出球検出機構が、タンク構造体に取り付けられる払出検出機構躯体と、払出検出機構躯体の内部に装着された一体の払出球検出器とを備え、払出球検出器が、螺旋払出体の前後から球出口を経由して排出される球を個別に通過させて電気的に検出するための複数の球検出孔と、複数の球検出孔を通過する球を検出する検出素子への電気的な入出力線を接続するための一体のコネクタとを備えれば、２個の球検出器を使用する場合に比べ、配線を簡素化できるという利点がある。
【発明を実施するための最良の形態】
【０００６】
図１−図１６は、発明を実施するための最良の形態である。図１は、遊技機のタンク払出装置１を分解して示す。図２は、タンク構造体２と球払出機構３と払出球検出機構４および連結樋５を分解して示す。図３は、タンク構造体２における取込部１８の周囲を球の移動する方向と直交する方向に切断した断面を示す。図４は、タンク構造体２における取込部１８の周囲を球の移動する方向に切断した断面を示す。図５は、タンク払出装置１の外観を示す。図６は、タンク払出装置１における球と螺旋払出体４７との関係を示す図３に類似する断面を示す。図７は、タンク払出装置１における球と螺旋払出体４７との関係を示す図４に類似する断面を示す。図８は、タンク払出装置１における球詰まりの状態を示す図４に類似する断面を示す。図９は、タンク払出装置１における球詰まり解消の状態を示す図４に類似する断面を示す。図１０は、パチンコ機における遊技機枠１２１と遊技盤１５５とを分解して示す。図１１は、遊技機枠１２１の裏面を示す。図１２は、遊技機枠１２１の平面を示す。図１３は、タンク払出装置１の中継基板７における配線接続の平面を示す。図１４は、遊技機枠１２１にタンク払出装置１を取り付けた側面を示す。図１５は、遊技機枠１２１に遊技盤１５５を取り付けたパチンコ機の裏面を示す。図１６は、パチンコ機の電気系統を示す。この明細書において、「前」、「後」、「裏」、「左」、「右」、「上」、「下」の方向は、図１０の状態に遊技機枠１２１および遊技盤１５５を置き、それらを前側から見た場合に特定される方向である。「後」と「裏」とは同じ方向である。
【０００７】
図１を参照し、遊技機のタンク払出装置１の構成部品について説明する。タンク払出装置１は、タンク構造体２、球払出機構３、払出球検出機構４、連結樋５、球切れ検出機構６、中継基板７、基板蓋８を備える。タンク構造体２は、球貯蔵室１０と基板収納室１１とを備える。球貯蔵室１０と基板収納室１１との配置は、球貯蔵室１０が後側で、基板収納室１１が前側である。球貯蔵室１０は、図１０に示す遊技機枠１２１を取り付ける図外の遊技機設置構造体における補給機構から排出された球を貯蔵する部屋であって、方形な底壁１２、底壁１２の周囲から上方に突出した左壁１３、右壁１４、前壁１５、後壁１６によって、上方に開口した箱形の部屋として構成される。
【０００８】
球貯蔵室１０の底壁１２には、球貯蔵室１０から球払出機構３に球を落下する供給口１７が、球貯蔵室１０の底壁１２における遊技機枠１２１の裏面と平行な左右方向の一側部としての右側部で、球貯蔵室１０における遊技機枠１２１の裏面と直交する前後方向の中央部に位置して左右方向に横長な方形に形成される。底壁１２の球と接触する底面は、球が球貯蔵室１０の周囲から供給口１７に向けて流れる斜面を形成する。供給口１７には、下方に突出する取込部１８が設けられる。取込部１８は取込部１８の内部に、供給口１７の縁部から下方に連接して窪む左右方向に横長な受空間部１９を囲み形成する。
【０００９】
受空間部１９の左右方向の一側部としての右側部を塞ぐ外壁２０には、払出体挿入孔２１とモータ取付部２２とが形成される。受空間部１９の左右方向の他側部としての左側部を塞ぐ内壁２３には、払出体軸受孔２４と退避孔２５とが形成される。受空間部１９の下側部を塞ぐ底部には、図２−図４に示す球出口２６と逃孔２７とが形成される。球貯蔵室１０の底壁１２には、底壁１２から下方に突出した筒状の払出球検出機構取付部２８と、底壁１２から下方に突出した筒状の球切れ検出機構取付部２９とが設けられる。払出球検出機構取付部２８は、取込部１８の前後に配置される。球切れ検出機構取付部２９は、取込部１８よりも左側に位置し、球切れ検出機構６が球貯蔵室１０の底壁１２の底面を左側から供給口１７に向けて流れて供給口１７に取り込まれる近傍での球の有無を検出するように、取込部１８の近くで、球貯蔵室１０の前後方向の中央部に配置される。
【００１０】
基板収納室１１は、タンク払出装置１に設けられる電気部品の全ての配線を集中的に接続する中継基板７を格納する部屋であって、方形な底壁３１、底壁３１の周囲から上方に突出した左壁３２、右壁３３、前壁３４、後壁３５によって、上方に開口した箱形の部屋として構成される。基板収納室１１の後壁３５と球貯蔵室１０の前壁１５とは、互いに一体となって、基板収納室１１と球貯蔵室１０とを区分する隔壁を構成する。基板収納室１１の底壁３１には、底壁３１から上方に突出した筒状の基板取付部３６が、基板収納室１１の一側部としての右側部に設けられる。基板取付部３６は、中継基板７の四隅に形成された取付孔６９と同じ個数である。基板収納室１１の他側部としての左側部には、基板収納室１１の底壁３１と前壁３４および後壁３５のそれぞれに連接した補強壁３７が設けられる。基板収納室１１の前壁３４および後壁３５には、前壁３４および後壁３５から基板収納室１１に突出する蓋係合突起３８；３９が、互いに向き合う格好で、基板取付部３６の位置する基板収納室１１の右側部に設けられる。
【００１１】
基板収納室１１の左壁３２および右壁３３には、上方および左右に開放された溝状の配線孔４１；４２が個別に設けられる。基板収納室１１の後壁３５、左壁３２および右壁３３は、基板収納室１１の底壁３１からの高さが互いに同じであるのに対し、基板収納室１１の前壁３４における底壁３１からの高さは、基板収納室１１の後壁３５、左壁３２および右壁３３よりも高い。基板収納室１１の前壁３４における後壁３５、左壁３２および右壁３３よりも上方に突出した部分には、タンク構造体２を可動枠１２３に取り付けるための前後方向に貫通するねじ挿入孔としての取付孔４３が左右に設けられる。このように、取付孔４３が、基板収納室１１の前壁３４における後壁３５よりも上方に突出した部分に設けられたことによって、タンク構造体２が図１１に示す可動枠１２３の裏面に止ねじ２０９で固定される場合、ドライバーのような工具がタンク構造体２の後側から後壁３５の上を通過して止ねじ２０９を締結することができるので、工具で止ねじ２０９を締結するための操作が容易となる。基板収納室１１の前壁３４には、前壁３４から前側に突出した補強を兼ねる位置決め部４４が、左右に延びた凸条に設けられる。位置決め部４４は、補強としての強度向上の観点から、タンク構造体２の右から左に行くにしたがって下方から上方に上り階段を構成する階段状である。
【００１２】
球払出機構３は、払出モータ４６、螺旋払出体４７、図２に示す孔閉塞体４８を備える。払出モータ４６はステップモータにより構成される。払出モータ４６のモータケースには、取付足４９がモータケースの径方向外側に突出する。取付足４９は、ねじ挿入孔５０を備える。螺旋払出体４７は、払出モータ４６のモータ軸のような図２に示す出力軸５１に同軸に結合された丸棒の外周面に螺旋体５２を備える。出力軸５１は、外周部の一部が平坦面となるように切除された異形であって、螺旋払出体４７の丸棒の中心には出力軸５１の異形となった部分を整合するように嵌め込むことができる図外の穴が丸棒の一端面から内部に窪む窪みとして形成される。よって、出力軸５１の異形となった部分が螺旋払出体４７の図外の穴に挿入されることによって、出力軸５１と螺旋払出体４７とが一緒に周方向に回転する格好となる。螺旋体５２は、螺旋払出体４７の丸棒の軸心と平行な方向に球を１個ずつ分離する間隔で、当該丸棒の外周面から径方向外側に螺旋形状に突出する。螺旋払出体４７の先端部には、丸棒より細い軸部５３が、同軸に突出する。
【００１３】
払出球検出機構４は、タンク構造体２に取り付けられる払出検出機構躯体５５の内部に払出球検出器５６を装着した構造である。連結樋５は、払出検出機構躯体５５の下部に取り付けられ、払出球検出機構４から下方に排出された球を真下に誘導する縦形の樋である。球切れ検出機構６は、タンク構造体２に取り付けられる球切れ検出機構躯体５７の内部に球切れ検出器５８を収納した構造である。球切れ検出機構躯体５７は、外側に突出する取付足５９を備える。取付足５９はねじ挿入孔５４を備える。
【００１４】
中継基板７は、プリント基板のような回路基板６０にコネクタ６１；６２；６３；６４；６５；６６；６７；６８を実装した構造である。コネクタ６１−６４；６６−６８のそれぞれに設けられた電気端子としてのコネクタピンとコネクタ６５に設けられた電気端子としてのコネクタピンとが、回路基板６０に付設されたプリント配線のような箔形状の配線で、互いに接続される。回路基板６０の四隅には、取付孔６９を備える。基板蓋８は、基板収納室１１の前壁３４よりも後側に位置し、基板収納室１１の上部における開口を全面的に塞ぐ大きさの板状である。基板蓋８が基板収納室１１の上部における開口を塞いだ場合、基板蓋８の後縁部の下面、左縁部の下面、右縁部の下面は、基板収納室１１の後壁３５、左壁３２および右壁３３の上面に上方から重ね合わされて接触する。基板蓋８には、基板蓋８から下方に突出する左右一対の取付部７１；７２が、基板収納室１１の前壁３４と後壁３５との間に前壁３４と後壁３５とに接触するかまたは接触する程度に近付いて嵌め込まれる前後方向に相対峙する間隔で、前後に設けられる。
【００１５】
前側の取付部７１には、係合溝７３が、取付部７１における基板収納室１１の前壁３４と対向する前面から内部に窪む形態に設けられる。後側の取付部７２には、係合溝７４が、取付部７２における基板収納室１１の後壁３５と対向する後面から内部に窪む形態に設けられる。前側における係合溝７３および後側における係合溝７４は、基板蓋８を前側から見た場合、互いに同じ形となるように、前後方向で対称となる対称形であって、下方に開口された下部縦溝と、下部縦溝の上端から右側に直線的に連接された横溝と、横溝の右端から上方に連接された上部縦溝とからなる、屈曲溝として構成される。連結樋５の上部には、左取付部１０８と右取付部１０９とが、左取付部１０８と右取付部１０９との間に溝１０２を介在させて設けられる。溝１０２は、払出球検出機構４の連結樋取付部８６を挿入する隙間である。左取付部１０８はねじ挿入孔１０４を備える。右取付部１０９はねじ締結孔１０５を備える。
【００１６】
図２を参照し、タンク構造体２における取込部１８の下部周り、球払出機構３の孔閉塞体４８、払出球検出機構４の構造について説明する。取込部１８の底部には、球出口２６と逃孔２７とが設けられる。球出口２６は、球を取込部１８から払出球検出機構４に排出する孔であって、外壁２０の側に位置し、螺旋体５２における右側の１つ隙間の真下に位置する。逃孔２７は、球払出機構３の螺旋体５２の下部を逃げるために、底壁１２の前後方向の中央部に位置し、球出口２６に連接して左右方向に横長な方形に形成された孔である。取込部１８の内壁２３に形成された退避孔２５は、１個の球の直径よりも小さな直径を有する。
【００１７】
孔閉塞体４８は、払出体挿入孔２１を全体的に覆い隠す大きさであって、中心部に、軸受挿入孔７６、丸棒挿入孔７７、丸棒挿入孔７７を囲む環状の突起７８を備える。軸受挿入孔７６は、払出モータ４６の出力軸５１の軸受部５１ａを挿入させる貫通孔であって、丸棒挿入孔７７と同軸である。丸棒挿入孔７７は、螺旋払出体４７の丸棒を挿入する貫通孔であって、螺旋払出体４７の丸棒より大きいが螺旋体５２の外径よりも小さい直径を有する。突起７８は、払出体挿入孔２１を塞ぐものであって、丸棒挿入孔７７の孔縁から螺旋払出体４７の延長する方向と同じ方向に突出する。そして、螺旋払出体４７と払出モータ４６の出力軸５１とが互いに結合される以前において、螺旋払出体４７における丸棒の螺旋体５２の形成されていない後端部が孔閉塞体４８の丸棒挿入孔７７に嵌め込まれる。丸棒挿入孔７７に嵌め込まれた螺旋払出体４７と丸棒挿入孔７７との間の隙間は、球が受空間部１９から漏れることない寸法になっている。このように孔閉塞体４８が螺旋払出体４７に装着された後、螺旋払出体４７と払出モータ４６の出力軸５１とが互いに嵌め合わされる。その後、払出モータ４６が止ねじ１００でモータ取付部２２に取り付けられることによって、払出モータ４６の軸受部５１ａが軸受挿入孔７６に収納され、孔閉塞体４８における突起７８の周囲の部分が払出モータ４６のモータケースと取込部１８の外壁２０とに接触して払出モータ４６と取込部１８との間の隙間を保持する一方、突起７８が払出体挿入孔２１に嵌め込まれ、球が受空間部１９から払出体挿入孔２１を経由して漏れないように、突起７８が払出体挿入孔２１を塞ぐ（図７参照）。
【００１８】
払出球検出機構４の払出検出機構躯体５５は、左側に開口した箱形の検出器収納室７９を備える。検出器収納室７９は、払出球検出器５６を格納する部屋である。検出器収納室７９の上側を形成する上壁８０と検出器収納室７９の下側を形成する下壁８１とには、一対の球貫通孔８２；８３を前後に個別に備える。上壁８０に設けられた一対の球貫通孔８２と下壁８１に設けられた球貫通孔８３とは互いに上下方向で同軸である。上壁８０の開口側縁には、フック８４が下方に突出する。下壁８１には、係合片８５と連結樋取付部８６とが設けられる。係合片８５は、下壁８１の前後方向中央部において、下壁８１の開口側縁から内部に切り込まれた前後に一対のスリット８７で、下壁８１から片持ち梁のように切り離された形態である。係合片８５の開口側縁には、フック８８が上方に突出する。連結樋取付部８６は、下壁８１から下方に突出し、中央にねじ挿入孔８９を備える。
【００１９】
検出器収納室７９の前側を形成する前壁９１と検出器収納室７９の後側を形成する後壁９２とには、取付足９３が設けられる。前壁９１に設けられた取付足９３は前壁９１から前側に突出し、ねじ挿入孔９４を備える。後壁９２に設けられた取付足９３は後壁９２から後側に突出し、ねじ挿入孔９４を備える。払出球検出器５６は、一体の検出器躯体９５と複数の球検出孔９６と一体のコネクタ９７とを備える。検出器躯体９５は、合成樹脂により一体に形成される。球検出孔９６は、螺旋払出体４７で前後に分けられたまま取込部１８の球出口２６から下方に排出される球を個別に通過させるために検出器躯体９５に前後で一対に形成される。コネクタ９７は、一対の球検出孔９６を個別に通過する球を検出するために検出器躯体９５に内蔵された図外の検出素子への電気的な入出力線としての図１３に示す配線２１３を接続するものである。つまり、払出球検出機構４は、タンク構造体２に取り付けられる払出検出機構躯体５５と、払出検出機構躯体５５の内部に装着された一体の払出球検出器５６とを備え、払出球検出器５６が、螺旋払出体４７の前後から球出口２６を経由して排出される球を個別に通過させて電気的に検出するための複数の球検出孔９６と、複数の球検出孔９６を通過する球を検出する図外の検出素子への電気的な入出力線を接続するための一体のコネクタ９７とを備えているので、２個の球検出器を使用する場合に比べ、配線を簡素化できるという利点がある。
【００２０】
図３および図４を参照し、タンク構造体２の取込部１８における周囲の内部について説明する。タンク構造体２における球貯蔵室１０の右側部を形成する右壁１４の下部には、庇９８が、取込部１８における球出口２６の真上に位置し、右壁１４から球貯蔵室１０に突出する形態に設けられる。庇９８は、球貯蔵室１０から供給口１７への球の流入を阻止する壁であって、球貯蔵室１０に貯蔵された球が図２に示す螺旋払出体４７の螺旋体５２に取り込まれて球出口２６の真上に到達した球と干渉しないように、球貯蔵室１０の底壁１２にも連接した隔壁である。庇９８の上面は、球貯蔵室１０に貯蔵された球を供給口１７の方に誘導する斜面を構成する。庇９８の下面は、取込部１８の受空間部１９に配置される螺旋払出体４７と干渉しない形状である（図７参照）。
【００２１】
上記のように構成されたタンク構造体２、球払出機構３、払出球検出機構４、連結樋５、球切れ検出機構６、中継基板７、基板蓋８を組み合わせることによって、タンク払出装置１を組み立てる仕方について説明する。図１において、螺旋払出体４７の軸心が左右方向に向けられた格好で、螺旋払出体４７の軸部５３がタンク構造体２の右外側から払出体挿入孔２１を経由して受空間部１９に挿入され、この受空間部１９に挿入された螺旋払出体４７の軸部５３が払出体軸受孔２４に嵌め込まれ、孔閉塞体４８の丸棒挿入孔７７がタンク構造体２の右外側から螺旋払出体４７に嵌め込まれ、孔閉塞体４８の突起７８がタンク構造体２の払出体挿入孔２１に嵌め込まれる。その後、タッピングスクリューのような止ねじ１００が払出モータ４６の取付足４９のねじ挿入孔５０からタンク構造体２のモータ取付部２２の内部孔に締結されることによって、払出モータ４６のモータケースがタンク構造体２に固定される。
【００２２】
図２にも示すように、払出球検出器５６の球検出孔９６が払出検出機構躯体５５の側に向けられ、払出球検出器５６の検出器躯体９５が払出検出機構躯体５５の検出器収納室７９に挿入されるのに伴い、係合片８５のフック８８が検出器躯体９５に接触し、係合片８５が下方に撓み、検出器躯体９５が係合片８５のフック８８を越えると、係合片８５の撓みが元に戻り、上壁８０のフック８４と係合片８５のフック８８とが検出器躯体９５におけるコネクタ９７の設けられた側の面に係合することによって、払出球検出器５６が払出検出機構躯体５５の内部に装着される。このように払出球検出器５６が払出検出機構躯体５５の内部に装着されることによって、２個の球検出孔９６が払出検出機構躯体５５の上壁８０の一対の球貫通孔８２と下壁８１の一対の球貫通孔８３と同軸になり、コネクタ９７が払出検出機構躯体５５よりも外側に突出する。このように払出球検出器５６の装着された払出検出機構躯体５５がタンク構造体２に取り付けられる。それには、止ねじ１０１が取付足９３のねじ挿入孔９４からタンク構造体２の払出球検出機構取付部２８の内部孔に締結されることによって、払出検出機構躯体５５がタンク構造体２の下部に固定される。
【００２３】
連結樋５の溝１０２が払出球検出機構４の連結樋取付部８６に下方から嵌め込まれた後、タッピングスクリューのような止ねじ１０３が連結樋５のねじ挿入孔１０４から連結樋取付部８６のねじ挿入孔８９を経由して連結樋５のねじ締結孔１０５に締結されることによって、連結樋５が払出球検出機構４の下部に固定される。タッピングスクリューのような止ねじ１１１が球切れ検出機構躯体５７の取付足５９のねじ挿入孔５４からタンク構造体２の球切れ検出機構取付部２９の内部孔に締結されることによって、球切れ検出機構６がタンク構造体２における底壁１２の下部に取り付けられる。
【００２４】
中継基板７がタンク構造体２の上方から基板収納室１１に挿入されて基板取付部３６に搭載され、タッピングスクリューのような止ねじ１０６が中継基板７の上から取付孔６９を経由して基板取付部３６の内部孔に締結されることによって、中継基板７がタンク構造体２に固定される。中継基板７における回路基板６０に実装されたコネクタ６１−６８と図１３に示すコネクタ２１２；２１４；２１６；２１８；２２１；２２３；２２５とが互いに嵌め込まれた後、基板蓋８がタンク構造体２に取り付けられる。基板蓋８の取付部７１；７２が基板収納室１１の上から基板収納室１１に挿入される場合、係合溝７３；７４の下部縦溝が蓋係合突起３８；３９に挿入され、蓋係合突起３８；３９が下部縦溝の上端に衝突した後、基板蓋８が右から左に横移動され、蓋係合突起３８；３９が係合溝７３；７４の下部縦溝から横溝に移動する。そして、蓋係合突起３８；３９が横溝の右端に衝突した後、基板蓋８が下方に押し込まれ、蓋係合突起３８；３９が係合溝７３；７４の横溝から上部縦溝に取り込まれる。これによって、基板蓋８が基板収納室１１の上方の開口を塞いでタンク構造体２に取り付けられる。このようにタンク構造体２、球払出機構３、払出球検出機構４、連結樋５、球切れ検出機構６、中継基板７、基板蓋８が組み合わせられることによって、タンク払出装置１が図５に示す形態に組み立てられる。
【００２５】
この組み立てられたタンク払出装置１において、球貯蔵室１０に球が供給されると、球貯蔵室１０に入った球は、底壁１２の底面の傾斜で取込部１８の方向に案内されて取込部１８に流れ込む。この取込部１８に入った球Ｐは、図６および図１２に示すように、取込部１８の受空間部１９において螺旋払出体４７で前後に分けられるとともに、螺旋体５２の隙間に分離されて１個ずつ取り込まれる。その状態において、螺旋払出体４７が図７に示す払出モータ４６で正転方向に駆動されると、螺旋体５２が螺旋体５２の隙間に取り込まれた球を受空間部１９の左側から右側に移動する。図７に示すように、取込部１８の球出口２６から下方に排出される球を検出する払出球検出機構４が、球出口２６の真下に設けられているので、タンク払出装置１の上下寸法を小さくすることができるうえ、球Ｐ２が球出口２６から払出球検出機構４を通過するまでの時間を短くすることができるという利点がある。また、払出球検出機構４が、球出口２６の真下で、取込部１８の底部に接触して設けられているので、タンク払出装置１の上下寸法を一層小さくすることができるうえ、球Ｐ２が球出口２６から払出球検出機構４を通過するまでの時間を一層短くすることができるという利点がある。
【００２６】
つまり、図７に示すように、螺旋払出体４７が球貯蔵室１０から供給口１７に向けて移動する球Ｐ１から受ける矢印Ｘ１で示す球圧の方向と、球貯蔵室１０から供給口１７を経由して受空間部１９に流れ込んで螺旋払出体４７で前後に分けられるとともに螺旋体５２の隙間に分離されて１個ずつ取り込まれた球を球出口２６に向けて移動する矢印Ｘ２で示す方向とが、同じ方向となるよう、払出モータ４６が螺旋払出体４７を正転方向に駆動することによって、螺旋体５２が螺旋体５２の隙間に取り込まれた球を受空間部１９の左側から右側に移動して球出口２６に到達させる。引き続き、図７に示すように、受空間部１９を左側から右側に移動して球出口２６に到達した球Ｐ２は、球出口２６から矢印Ｘ３で示す下方に落下してタンク構造体２から排出される。このように球出口２６から球が排出される場合、図１２に示すように、受空間部１９において、螺旋払出体４７の前側に分離されている球Ｐと螺旋払出体４７の後側に分離されている球Ｐとは、螺旋体５２によって、互いに、同時に排出されることはなく、螺旋払出体４７の１回転における螺旋払出体４７の回転中心と平行な方向に半周期ずれて互い違いに排出される。このタンク構造体２の球出口２６から排出された球は、図２に示す払出球検出機構４の球貫通孔８２、球検出孔９６、球貫通孔８３を、上から下に順に通過する。そして、払出球検出器５６が、球検出孔９６を通過する球を検出するごとに、払出球検出信号を図１０に示す主制御装置１７３および発射払出制御装置１９２に出力する。払出球検出器５６を通過した球は、連結樋５に取り込まれる。つまり、図７に示すように、球払出機構３の螺旋払出体４７が、球貯蔵室１０から供給口１７に向けて移動する球Ｐ１から受ける球圧の方向（矢印Ｘ１方向）と球貯蔵室１０から供給口１７を経由して取込部１８の受空間部１９に流れ込んで螺旋払出体４７で前後に分けられるとともに螺旋体５２の隙間に分離されて１個ずつ取り込まれた球を球出口２６に向けて移動する方向（矢印Ｘ２方向）とが同じ方向となるように払出モータ４６で正転方向に駆動されるので、球貯蔵室１０に存在する球および受空間部１９に存在する球から螺旋払出体４７に作用する負担が軽くなり、螺旋払出体４７が円滑に回転して球詰まりを発生しにくく、球貯蔵室１０から球を円滑に払い出すことができるという利点がある。
【００２７】
螺旋払出体４７の正転方向の駆動によって、球が受空間部１９の内部から球出口２６に到達する過程において、図８に示すように、矢印Ｘ４で示す移動方向の前側に位置する球Ｐ３が図７に示す螺旋体５２と図８に示す庇９８とに挟まれる、球詰まりが発生した場合、図７に示す払出モータ４６が逆転方向に駆動する。この逆転方向の駆動によって、図７に示す螺旋体５２が螺旋体５２の隙間に存在する球を球出口２６の側から退避孔２５の方向に移動する。この移動によって、図９に示すように、払出モータ４６の逆転方向の駆動に伴う球の矢印Ｘ５で示す移動方向の前側に位置する球Ｐ４の一部が退避孔２５に取り込まれる。このように球Ｐ４が退避孔２５に取り込まれると、図７に示す払出モータ４６が再び正転方向に駆動する。
【００２８】
つまり、取込部１８に球の一部を入れる退避孔２５が設けられているので、退避孔２５が設けられていない場合に比べ、球詰まりの発生した場合において、払出モータ４６の逆転と正転とによる球Ｐ３および球Ｐ４の矢印Ｘ５および矢印Ｘ４で示す往復移動距離が大きくなり、この大きな往復移動距離を球Ｐ３；Ｐ４が移動することによって、球詰まりを適切に解消することができる。また、図９に示すように、球Ｐ４の一部が退避孔２５に取り込まれ、球Ｐ３が庇９８から離れて受空間部１９の底部を構成する取込部１８の底部に接触した場合において、球Ｐ３と庇９８との間の隙間は、仮想線で示す１個の球Ｐ５の直径よりも小さい寸法に設定されているので、球Ｐ５が球Ｐ３と庇９８との間の隙間に挟まれることはない。図９に示す球Ｐ３が図７に示す螺旋払出体４７の正転方向の駆動で矢印Ｘ５と逆方向（図７の矢印Ｘ２と同方向）に直線的に移動するのに伴い、当該球Ｐ３が球Ｐ５を上方に押し上げる。つまり、球Ｐ５による球詰まりは発生しない。
【００２９】
図１０を参照し、パチンコ機の遊技機枠１２１の前機構および遊技盤１５５の裏機構について説明する。遊技機枠１２１は、固定枠１２２と可動枠１２３とを備える。固定枠１２２は、パチンコ店の図外の遊技機設置構造体に取り付けるための外枠と呼ばれるものであって、前後方向に開放された縦長な長方形の空間を囲む額縁形状である。固定枠１２２には、前枠または中枠と呼ばれる可動枠１２３が、左側のヒンジ１２４で前側横方向に片開き可能にかつ着脱可能（交換可能）に取り付けられる。可動枠１２３は、前後方向に開放された縦長な長方形の空間を囲む額縁形状の可動枠本体１２５と、可動枠本体１２５から内部に延設された遊技主体収納構造体１２６とを備える。可動枠本体１２５には、パネル枠１２７および球皿構造体１２８が左側に上下に設けられるヒンジ１２９で前側横方向に片開き可能に取り付けられる。パネル枠１２７は、前後方向に開放された窓１３０を囲む額縁形状である。パネル枠１２７の裏面には、ガラスまたは合成樹脂からなる光透過性を有する前面パネル１３１が、窓１３０を覆う格好で取り付けられる。
【００３０】
可動枠本体１２５の右縦片には施錠装置１３２と複数のロック機構１３３；１３３ａ；１３４およびロック解除操作体１３５が設けられる。可動枠１２３やパネル枠１２７および球皿構造体１２８が閉じられてロック機構１３３；１３３ａ；１３４で開閉不能に支持された状態において、遊技店の店員が図外のキープレート（鍵）を遊技機枠１２１の前側から施錠装置１３２の鍵穴１３６に挿入し、当該キープレートを例えば右側に９０度回転操作すると、固定枠１２２と可動枠１２３とのロック機構１３３ａによる支持形態が解除される。この支持形態の解除後に、店員が可動枠１２３を前側に引くことによって、可動枠１２３はヒンジ１２４を回転中心として前側に片開きされる。
【００３１】
また、上記施錠装置１３２の鍵穴１３６に挿入されたキープレートが例えば左側に９０度回転操作されると、可動枠１２３とパネル枠１２７とのロック機構１３３による支持形態が解除される。この支持形態の解除後に、店員がパネル枠１２７を前側に引くことによって、パネル枠１２７はヒンジ１２９を回転中心として前側に片開きされる。このように、パネル枠１２７が前側に開かれた状態において、店員が可動枠１２３の前面に設けられたロック解除操作体１３５を操作すると、可動枠１２３と球皿構造体１２８とのロック機構１３４による支持形態が解除される。この支持形態の解除後に、店員が球皿構造体１２８を前側に引くことによって、球皿構造体１２８はヒンジ１２９を回転中心として前側に片開きされる。
【００３２】
球皿構造体１２８の前面には、球収納部１３７および発射操作機構１３８を備える。球収納部１３７は、遊技に使用する球を受ける上方に開放された形態である。球皿構造体１２８の裏面には、前横樋１５１から球を球収納部１３７に供給する球取入口１３９と、球収納部１３７から発射機構１４８に球を供給する球供給口１４０とを備える。遊技主体収納構造体１２６は、前側に開放された遊技主体収納室１４１と、遊技主体収納室１４１の立壁に前後方向に貫通する中央開口部１４２とを備える。遊技主体収納室１４１の左側部には、遊技盤１５５を取り付ける枠側ヒンジ１４３および枠側コネクタ１４４を備える。枠側ヒンジ１４３は、遊技主体収納室１４１の左側部に固定的に取りけられたヒンジ躯体の前側に折り曲げられた支持部から上方に突出したヒンジピンを備えた構造である。遊技主体収納室１４１の右側部には、遊技主体ロック部材１４５を備える。遊技主体ロック部材１４５は、遊技主体収納構造体１２６から前側に突出する円筒状の台座の中心にロック操作体１４６を回転可能に備える。ロック操作体１４６は、台座から前側に突出した操作軸の端部に固定された横長な形態である。遊技主体収納構造体１２６における遊技主体収納室１４１よりも下部における前面には、遊技主体棚１４７を備える。遊技主体棚１４７から下方に延設された遊技主体収納構造体１２６における前壁の前面には、発射機構１４８、発射レール１４９、ファール球取入口部１５０、前横樋１５１、配線孔１５２を備える。
【００３３】
発射レール１４９は、球皿構造体１２８の球供給口１４０から供給された１個の球を受け取る。発射機構１４８は、電力供給と遮断とを交互に受けることによって、球収納部１３７から発射レール１４９に供給された１個の球を遊技盤１５５の遊技領域に向けて発射する。発射レール１４９は、発射機構１４８から発射された球を、遊技盤１５５における発射通路の入口に誘導する。ファール球取入口部１５０は、遊技盤１５５の発射通路から落下する球を取り込む。ファール球取入口部１５０に取り込まれた球は、前横樋１５１を経由して球取入口１３９に排出される。前横樋１５１は、可動枠１２３の裏部に取り付けられた図１に示すタンク払出装置１から払い出された球を球取入口１３９に排出する。枠側コネクタ１４４は、導電材かなるコネクタピンが合成樹脂のような電気絶縁材かなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤１５５の電極１６２から押されるのに伴い、弾性体が圧縮し、コネクタピンと電極１６２とが互いに押し合って接触する。
【００３４】
パチンコ機の遊技盤１５５は、裏面に、セット板と呼ばれる部品取付構造体１５６を備える。部品取付構造体１５６は、遊技盤１５５の前面のガイドレールで囲まれた内側の遊技領域に設けられた入賞部品に取り込まれた後に当該入賞部品から遊技盤１５５の裏側に排出された球を、下方に誘導して排出する。遊技盤１５５の裏側には、遊技盤１５５の前面に設けられた遊技部品の裏機構が、遊技盤１５５に形成された図外の逃孔や部品取付構造体１５６に形成された逃孔１５７を経由して突出する。遊技盤１５５の裏側に突出した裏機構を有する遊技部品は、複数の図柄表示器１５８；１５９、可動部品１６０、図外の複数の入賞部品、図外のサイドランプなどである。図柄表示器１５８は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置１７５を備える。図柄表示器１５９は、遊技領域の右側下部に設けられ、複数の図柄の印刷された図柄表示体をステップモータで回転する構造であって、裏機構としてステップモータを備える。部品取付構造体１５６の裏面には、盤側可撓性配線１６１と盤側ヒンジ１６４と主制御装置１７３および複合制御装置１７４が設けられる。
【００３５】
盤側可撓性配線１６１は、遊技盤１５５に設けられた電気部品と遊技機枠１２１に設けられた電気部品とを接続する多数本の箔形状の電線および箔形状の電極１６２が、可撓性を有する合成樹脂基板の表面に付設された構造である。電極１６２は、枠側コネクタ１４４のコネクタピンと対応する個数のラウンドと呼ばれるものであって、各電極１６２からは上記箔形状の電線が個別に延設される。電線の表面は、レジスト膜のような電気絶縁材で被覆され、人の接触から保護される。盤側可撓性配線１６１は、縦片部と縦片部の上下部から右側に延設した上下横片部とからなる形状である。盤側可撓性配線１６１の縦片部は、部品取付構造体１５６における逃孔１５７より左部分の裏面と対応する部分であって、当該縦片部の左端部には、電極１６２が互いに離れた形態で配置され、当該縦片部から右側に延長した延設部には、図柄制御装置１７５が接続される。
【００３６】
盤側可撓性配線１６１の上横片部は、部品取付構造体１５６における逃孔１５７より上部分の裏面と対応する部分であって、当該上横片部には、主制御装置１７３が接続される。当該上横片部から下方に延長した延設部には、可動部品１６０の駆動源が接続される。盤側可撓性配線１６１の下横片部は、部品取付構造体１５６における逃孔１５７より下部分の裏面と対応する部分であって、当該下横片部の左下部には、複合制御装置１７４が接続され、当該下横片部の右端部には、図柄表示器１５９の駆動源が接続され、当該下横片部から下方に延長した延設部には、可変入賞部品の駆動源が接続される。主制御装置１７３は、制御に必要な電気部品の実装された回路基板を１つの制御装置筐体の内部に装着した構造であって、回路基板の電気部品を実装した板面が、遊技盤１５５の裏面と直交する格好で、かつ、制御装置筐体の厚さが遊技盤１５５の上下方向となる格好で、遊技盤１５５の裏面に対して取り付けられる。複合制御装置１７４は、制御に必要な電気部品の実装された回路基板を１つの制御装置筐体の内部に装着した構造であって、回路基板の電気部品を実装した板面が、遊技盤１５５の裏面と直交する格好で、かつ、制御装置筐体の厚さが遊技盤１５５の左右方向となる格好で、遊技盤１５５の裏面に対して取り付けられる。
【００３７】
盤側ヒンジ１６４は、遊技盤１５５に固定的に取りけられたヒンジ躯体の前側に折り曲げられた支持部に上下方向に貫通したヒンジ孔を備えた構造である。遊技盤１５５の盤側ヒンジ１６４と反対側の側部には、取付部１６５を備える。取付部１６５にはロック挿入孔１６６を備える。そして、遊技盤１５５の前面が前側に向けられ、遊技盤１５５の盤側ヒンジ１６４の設けられた片側が遊技機枠１２１の前側から遊技主体収納室１４１に挿入され、盤側ヒンジ１６４のヒンジ孔が枠側ヒンジ１４３のヒンジピンに上方から挿入されると、遊技盤１５５が遊技機枠１２１に盤側ヒンジ１６４と枠側ヒンジ１４３とを回転中心として回転可能に取り付けられる。その後、遊技盤１５５が遊技機枠１２１の方に押されると、遊技主体ロック部材１４５のロック操作体１４６が遊技盤１５５の取付部１６５のロック挿入孔１６６に後側から挿入されて前側に突出する。その状態において、作業者がロック操作体１４６を例えば右方向に９０度回転操作すると、ロック操作体１４６がロック挿入孔１６６の周りにおける取付部１６５と係合し、遊技盤１５５が遊技主体収納室１４１に取り付けられる。遊技盤１５５が取り付けられた後、パネル枠１２７が閉じられる。これによって、パチンコ機が構成される。このパチンコ機は、遊技盤１５５が遊技機枠１２１の内部に格納され、遊技盤１５５の前側がパネル枠１２７で覆われ、遊技盤１５５の遊技領域が遊技機枠１２１の前側から前面パネル１３１を通して視認し得る形態である。
【００３８】
図１１を参照し、遊技機枠１２１の裏機構について説明する。タンク払出装置１は、遊技機枠１２１の中央開口部１４２より右上部に配置され、遊技主体収納構造体１２６の裏面に取り付けられる。タンク払出装置１の連結樋５の下部には、縦樋１８２が接続される。したがって、タンク払出装置１の連結樋５を通過した球は、縦樋１８２に取り込まれる。縦樋１８２は、遊技機枠１２１の中央開口部１４２よりも右側に配置され、遊技主体収納構造体１２６の裏面に取り付けられる。縦樋１８２の内部には、球通路が、上部から下部に行くにしたがって、前後方向に蛇行する形態に形成される。縦樋１８２の下端は、前横樋１５１の右上内部に連なる。よって、縦樋１８２に取り込まれた球は、縦樋１８２の内部における球通路を蛇行しながら流下して前横樋１５１に排出される。
【００３９】
縦樋１８２の右側には、球抜通路構成体１８３が併設される。球抜通路構成体１８３および縦樋１８２は上部で互いに連接される。この連接部には、通路切換機構１８４が設けられる。通路切換機構１８４は、縦樋１８２の裏面に取り付けられた通路切換駆動源としての流路切替ソレノイド１８５と、流路切替ソレノイド１８５のプランジャに連結されて縦樋１８２の球通路に配置された通路切換弁１８６とを備える。流路切替ソレノイド１８５は、電磁ソレノイドにより構成される。例えば、流路切替ソレノイド１８５が電力供給されていない場合、通路切換弁１８６は、連結樋５から縦樋１８２に球を流すように、タンク払出装置１と球抜通路構成体１８３との球通路を遮断する。そして、流路切替ソレノイド１８５が電力供給されている場合、通路切換弁１８６は、連結樋５から球抜通路構成体１８３に球を流すように、タンク払出装置１と縦樋１８２との球通路を遮断する。球抜通路構成体１８３の下端は、前横樋１５１の内部裏側を塞ぐ球通路カバーに形成された球抜通路１８７に連接される。球抜通路１８７の下端は、前横樋１５１の内部から下方に突出する。縦樋１８２における通路切換機構１８４よりも下部の中間部には、満タン検出器１８８が設けられる。満タン検出器１８８は、図１０に示す球収納部１３７から前横樋１５１および縦樋１８２の満タン検出器１８８まで球が満杯となると、主制御装置１７３による遊技制御を停止するために、満タン検出器１８８が満杯となった球でオン動作して満杯検出信号を主制御装置１７３に出力する。
【００４０】
遊技主体収納構造体１２６における遊技主体棚１４７より下方に延設された前壁の裏面には、電源装置１９１と発射払出制御装置１９２とが取り付けられる。電源装置１９１は、遊技機枠１２１の中央開口部１４２よりも右下部に配置される。発射払出制御装置１９２は、遊技機枠１２１の中央開口部１４２よりも左下部に配置される。枠側コネクタ１４４よりも上部における遊技主体収納構造体１２６の裏面には、外部情報端子基板１９３、払出中継基板１９４、電源端子基板１９５が、下から上に順に配置された形態で、取り付けられる。発射払出制御装置１９２よりも左側における遊技主体収納構造体１２６の裏面には、球皿中継基板１９６が取り付けられる。電源装置１９１、発射払出制御装置１９２、枠側コネクタ１４４、払出中継基板１９４、電源端子基板１９５、外部情報端子基板１９３および球皿中継基板１９６のそれぞれは、枠側可撓性配線１９７で、互いに接続される。枠側可撓性配線１９７は、遊技盤１５５に設けられた電気部品と遊技機枠１２１に設けられた電気部品とを接続する多数本の箔形状の電線が、可撓性を有する合成樹脂基板に付設された構造である。
【００４１】
枠側可撓性配線１９７は、縦片部と縦片部の下部から右側に延設した横片部とからなる形状である。枠側可撓性配線１９７の縦片部は、遊技主体収納構造体１２６における中央開口部１４２より左側部分の裏面と対応する部分であって、当該縦片部には、枠側コネクタ１４４、外部情報端子基板１９３、払出中継基板１９４および電源端子基板１９５が上下方向に一列に配置されて接続される。枠側可撓性配線１９７の横片部は、遊技主体収納構造体１２６における中央開口部１４２より下側部分の裏面と対応する部分であって、当該横片部の右下部には、球皿中継基板１９６が接続され、当該横片部の右端部には、電源用コネクタ１９８と発射払出制御用コネクタ１９９とが接続される。払出中継基板１９４には、タンク払出装置１の中継基板７に設けられた図１３に示すコネクタ６５が、ハーネス２００で接続される。ハーネス２００は、可撓性を有する帯状の絶縁被覆体に多数本の電線を埋設した、フレキシブル・フラット・ケーブルと呼ばれる、被覆電線により構成される。電源端子基板１９５には、パチンコ機のプラグ２０１を有する被覆電線からなる電源配線２０２が接続される。
【００４２】
外部情報端子基板１９３には、図１６に示すホールコンピュータ２３２が接続される。球皿中継基板１９６には、球皿構造体１２８の電気部品から配線孔１５２を経由して遊技機枠１２１の裏側に引き出された配線が接続される。電源装置１９１の裏面右部には、電源スイッチ２０３およびリセット釦２０４が設けられる。電源用コネクタ１９８には、電源装置１９１に設けられた電源コネクタ２０５が接続される。発射払出制御用コネクタ１９９には、発射払出制御装置１９２に設けられた発射払出制御コネクタ２０６が接続される。遊技主体収納構造体１２６の裏面には、一斉球抜きスイッチ２０７および扉開放スイッチ２０８が、タンク払出装置１とロック機構１３３ａとの間における右上部に位置して取り付けられる。一斉球抜きスイッチ２０７は人の操作によって一斉球抜き信号を図１０に示す主制御装置１７３に出力する。扉開放スイッチ２０８は、図１０に示すパネル枠１２７が開放された場合に、主制御装置１７３による遊技制御を停止するために、遊技機枠１２１に設けられたスイッチであって、パネル枠１２７が開けられた場合に扉開放信号を主制御装置１７３に出力し、パネル枠１２７が閉じられた場合に主制御装置１７３への扉開放信号の出力を停止する。
【００４３】
図１３を参照し、タンク払出装置１の中継基板７の回路基板６０に実装されたコネクタ６１−６８に対する配線の接続について説明する。コネクタ６１には、払出モータ４６の配線２１１に結線されたコネクタ２１２が嵌め込まれたことによって、払出モータ４６が接続される。コネクタ６２には、払出球検出器５６の配線２１３に結線されたコネクタ２１４が嵌め込まれたことによって、払出球検出器５６が接続される。コネクタ６３には、満タン検出器１８８の配線２１５に結線されたコネクタ２１６が嵌め込まれたことによって、満タン検出器１８８が接続される。コネクタ６４には、球切れ検出器５８の配線２１７に結線されたコネクタ２１８が嵌め込まれたことによって、球切れ検出器５８が接続される。コネクタ６５には、ハーネス２００に結線されたコネクタ２１９が嵌め込まれることによって、ハーネス２００が接続される。コネクタ６６には、流路切替ソレノイド１８５の配線２２０に結線されたコネクタ２２１が嵌め込まれたことによって、流路切替ソレノイド１８５が接続される。コネクタ６７には、一斉球抜きスイッチ２０７の配線２２２に結線されたコネクタ２２３が嵌め込まれたことによって、一斉球抜きスイッチ２０７が接続される。コネクタ６８には、扉開放スイッチ２０８の配線２２４に結線されたコネクタ２２５が嵌め込まれたことによって、扉開放スイッチ２０８が接続される。
【００４４】
コネクタ６１とコネクタ２１２とが互いに嵌め込まれ、コネクタ６２とコネクタ２１４とが互いに嵌め込まれ、コネクタ６３とコネクタ２１６とが互いに嵌め込まれ、コネクタ６４とコネクタ２１８が互いに嵌め込まれ、コネクタ６５とコネクタ２１９とが互いに嵌め込まれ、コネクタ６６とコネクタ２２１とが互いに嵌め込まれ、コネクタ６７とコネクタ２２３とが互いに嵌め込まれ、コネクタ６８とコネクタ２２５とが互いに嵌め込まれ、ハーネス２００が配線孔４１を経由して基板収納室１１に収められ、配線２１１、配線２１３、配線２１５、配線２１７、配線２２０、配線２２２、配線２２４が配線孔４２を経由して基板収納室１１に収められた後、基板蓋８が図１４に示すようにタンク構造体２に取り付けられる。
【００４５】
図１４に示すタンク払出装置１が遊技機枠１２１における可動枠１２３の遊技主体収納構造体１２６に裏面に止ねじ２０９で取り付けられ、図１３に示すハーネス２００、払出モータ４６、払出球検出器５６、満タン検出器１８８、球切れ検出器５８、流路切替ソレノイド１８５、一斉球抜きスイッチ２０７、扉開放スイッチ２０８のそれぞれが、中継基板収納室１１の内部における中継基板７のコネクタ６１−６８に接続され、図１４に示すように、基板蓋８がタンク構造体２に取り付けられた状態において、球Ｐが矢印Ｘ６で示すように遊技機枠１２１の上方からタンク払出装置１の基板蓋８の上に落下した場合、その落下した球Ｐは、基板蓋８の上を転がって後側の球貯蔵室１０に取り込まれるかまたはタンク払出装置１の外側に落下する。図１４に示すように、タンク払出装置１が可動枠１２３に止ねじ２０９で取り付けられる場合、先ず、タンク構造体２の位置決め部４４が遊技主体収納構造体１２６の裏面に設けられた受棚２１０に載せられる。次に、止ねじ２０９がタンク構造体２から遊技主体収納構造体１２６に締結される。よって、タンク構造体２が受棚２１０で受け止められて位置が上下方向にずれない状態において、作業者が止ねじ２０９を工具で締結することができるので、タンク払出装置１の遊技機枠１２１への止ねじ２０９による取付作業がやりやすい。
【００４６】
つまり、中継基板収納室１１が基板蓋８で塞がれているので、タンク払出装置１の上方から中継基板収納室１１に向かって落下した球Ｐは、基板蓋８で受け止められ、中継基板収納室１１に落下することがない。これによって、中継基板７におけるコネクタ６１−６８とハーネス２００、払出モータ４６、払出球検出器５６、満タン検出器１８８、球切れ検出器５８、流路切替ソレノイド１８５、一斉球抜きスイッチ２０７、扉開放スイッチ２０８との接続が落下する球Ｐの直撃から保護される。しかも、基板蓋８の周縁の下面が、中継基板収納室１１における左壁３２と右壁３３および後壁３５のそれぞれの上面に重ね合わされているので、基板蓋８の上に落下した球Ｐが、基板蓋８の上に滞ることなく基板蓋８から球貯蔵室１０やタンク払出装置１の外側に落下する。
【００４７】
図１５を参照し、遊技盤１５５が装着された遊技機枠１２１の裏面について説明する。遊技盤１５５の裏面に取り付けられた主制御装置１７３や複合制御装置１７４および図柄制御装置１７５が遊技機枠１２１の前側から中央開口部１４２を経由して裏側に突出し、主制御装置１７３と複合制御装置１７４および図柄制御装置１７５それぞれを互いに接続する盤側可撓性配線１６１が、遊技機枠１２１の中央開口部１４２よりも左側の裏面に設けられた枠側可撓性配線１９７の枠側コネクタ１４４に接続されているので、遊技盤１５５の裏機構の配置が簡素化できる。また、主制御装置１７３と複合制御装置１７４および図柄制御装置１７５のそれぞれを互いに接続する配線が、盤側可撓性配線１６１で形成されているので、個々ばらばらの多数本の配線が入り乱れることがなく、一層、整然とした配置となる。遊技盤１５５の前面には、外ガイドレール２２７と内ガイドレール２２８とが設けられ、外ガイドレール２２７と内ガイドレール２２８との間の隙間が発射通路、発射通路を除く外ガイドレール２２７と内ガイドレール２２８とで囲まれた内側が遊技領域である。外ガイドレール２２７および内ガイドレール２２８はガイドレールを構成する。
【００４８】
図１６を参照し、パチンコ機の電気系統について説明する。主制御装置１７３と複合制御装置１７４と図柄制御装置１７５および発射払出制御装置１９２のそれぞれに格納されたマイクロコンピュータが電力供給を受けて起動し、図柄制御装置１７５が画像制御信号を図柄表示器１５８に出力し、図柄表示器１５８が図柄制御信号に対応する画像を表示する。主制御装置１７３には、入力機器と出力機器とが配線で接続される。主制御装置１７３の入力機器は、払出球検出器５６、球切れ検出器５８、満タン検出器１８８、入賞球検出器２３０、一斉球抜きスイッチ２０７、扉開放スイッチ２０８である。入賞球検出器２３０には、例えば、一般入賞球検出器、作動入賞球検出器、始動入賞球検出器、普通入賞球検出器、特別入賞球検出器などがある。主制御装置１７３の出力機器は、入賞部品駆動源２３１と遊技店の管理を行うホールコンピュータ２３２である。入賞部品駆動源２３１には、入賞部品における電動チューリップの駆動源、入賞部品における可変入賞部品の駆動源などがある。複合制御装置１７４は、主制御装置１７３と配線で接続される。複合制御装置１７４には、表示灯２３３やスピーカ２３４および演出部品駆動源２３９などの出力機器が配線で接続される。演出部品駆動源２３９には、図１０に示す可動部品１６０の駆動源、図１０に示す図柄表示器１５９のステップモータなどがある。
【００４９】
表示灯２３３は、遊技機枠１２１の前部または遊技盤１５５の前部に設けられ、点灯、点滅、消灯で遊技演出を行う部品である。スピーカ２３４は遊技機枠１２１に設けられて音で遊技演出を行う部品である。発射払出制御装置１９２は、主制御装置１７３と配線で接続される。発射払出制御装置１９２には、入力機器と出力機器とが配線で接続される。発射払出制御装置１９２の入力機器は、球払出機構の払い出される球を検出する払出球検出器５６、球切れ検出器５８、発射操作機構１３８の球の発射を停止するための発射停止検出器２３５と発射操作機構１３８への遊技者による操作量を可変抵抗値として出力する可変抵抗器２３６および発射操作機構１３８への遊技者の接触を検出する接触検出器２３７である。発射払出制御装置１９２の出力機器は、払出モータ４６、流路切替ソレノイド１８５、発射機構１４８の発射駆動源２３８である。この場合、主制御装置１７３、複合制御装置１７４、図柄制御装置１７５、入賞球検出器２３０、図柄表示器１５９、遊技盤１５５に設けられた表示灯２３３、遊技機枠１２１に設けられたスピーカ２３４のそれぞれを接続する配線が図１０に示す盤側可撓性配線１６１に付設された箔形状の配線で構成される。図１６における結合子Ｄは互いに接続される。
【００５０】
最良の形態において、図１０に示すように、パネル枠１２７が開けられと、図１３に示す扉開放スイッチ２０８が、扉開放信号を、図１３に示す配線２２４、コネクタ２２５、コネクタ６８、コネクタ６５、コネクタ２１９、ハーネス２００、図１５に示す払出中継基板１９４、枠側可撓性配線１９７、枠側コネクタ１４４、盤側可撓性配線１６１、盤側可撓性配線１６１と主制御装置１７３とを接続するために盤側可撓性配線１６１と主制御装置１７３との双方に設けられたコネクタＡ；Ｂを経由して、図１６に示す主制御装置１７３に出力する。配線２２４、コネクタ２２５、コネクタ６８、コネクタ６５、コネクタ２１９、ハーネス２００、払出中継基板１９４、枠側可撓性配線１９７、枠側コネクタ１４４、盤側可撓性配線１６１、コネクタＡ；Ｂが、図１６に示す扉開放スイッチ２０８と主制御装置１７３とをつなぐ配線２４０を構成する。
【００５１】
図１０に示すように、パネル枠１２７が開けられた状態において、人が可動枠１２３の前側から図１３に示す一斉球抜きスイッチ２０７を操作すると、一斉球抜きスイッチ２０７が、一斉球抜き信号を、図１３に示す配線２２２、コネクタ２２３、コネクタ６７、コネクタ６５、コネクタ２１９、ハーネス２００、図１５に示す払出中継基板１９４、枠側可撓性配線１９７、枠側コネクタ１４４、盤側可撓性配線１６１、コネクタＡ；Ｂを経由して、図１６に示す主制御装置１７３に出力する。配線２２２、コネクタ２２３、コネクタ６７、コネクタ６５、コネクタ２１９、ハーネス２００、払出中継基板１９４、枠側可撓性配線１９７、枠側コネクタ１４４、盤側可撓性配線１６１、コネクタＡ；Ｂが、図１６に示す一斉球抜きスイッチ２０７と主制御装置１７３とをつなぐ配線２４１を構成する。
【００５２】
図１３に示す満タン検出器１８８は、満タン検出信号を、配線２１５、コネクタ２１６、コネクタ６３、コネクタ６５、コネクタ２１９、ハーネス２００、図１５に示す払出中継基板１９４、枠側可撓性配線１９７、枠側コネクタ１４４、盤側可撓性配線１６１、コネクタＡ；Ｂを経由して、図１６に示す主制御装置１７３に出力する。配線２１５、コネクタ２１６、コネクタ６３、コネクタ６５、コネクタ２１９、ハーネス２００、払出中継基板１９４、枠側可撓性配線１９７、枠側コネクタ１４４、盤側可撓性配線１６１、コネクタＡ；Ｂが、図１６に示す満タン検出器１８８と主制御装置１７３とをつなぐ配線２４２を構成する。
【００５３】
図１３に示す払出球検出器５６は、払出球検出信号を、配線２１３、コネクタ２１４、コネクタ６２、コネクタ６５、コネクタ２１９、ハーネス２００、図１５に示す払出中継基板１９４、枠側可撓性配線１９７、枠側コネクタ１４４、盤側可撓性配線１６１、コネクタＡ；Ｂを経由して、図１６に示す主制御装置１７３に出力するとともに、配線２１３、コネクタ２１４、コネクタ６２、コネクタ６５、コネクタ２１９、ハーネス２００、図１５に示す払出中継基板１９４、枠側可撓性配線１９７、発射払出制御用コネクタ１９９、発射払出制御コネクタ２０６を経由して、図１６に示す発射払出制御装置１９２に出力する。配線２１３、コネクタ２１４、コネクタ６２、コネクタ６５、コネクタ２１９、ハーネス２００、払出中継基板１９４、枠側可撓性配線１９７、枠側コネクタ１４４、盤側可撓性配線１６１、コネクタＡ；Ｂが、図１６に示す払出球検出器５６と主制御装置１７３とをつなぐ配線２４３を構成する。配線２１３、コネクタ２１４、コネクタ６２、コネクタ６５、コネクタ２１９、ハーネス２００、払出中継基板１９４、枠側可撓性配線１９７、発射払出制御用コネクタ１９９、発射払出制御コネクタ２０６が、図１６に示す払出球検出器５６と発射払出制御装置１９２とをつなぐ配線２４４を構成する。
【００５４】
図１３に示す球切れ検出器５８は、球切れ検出信号を、配線２１７、コネクタ２１８、コネクタ６４、コネクタ６５、コネクタ２１９、ハーネス２００、図１５に示す払出中継基板１９４、枠側可撓性配線１９７、枠側コネクタ１４４、盤側可撓性配線１６１、コネクタＡ；Ｂを経由して、図１６に示す主制御装置１７３に出力するとともに、配線２１７、コネクタ２１８、コネクタ６２、コネクタ６５、コネクタ２１９、ハーネス２００、図１５に示す払出中継基板１９４、枠側可撓性配線１９７、発射払出制御用コネクタ１９９、発射払出制御コネクタ２０６を経由して、図１６に示す発射払出制御装置１９２に出力する。配線２１７、コネクタ２１８、コネクタ６４、コネクタ６５、コネクタ２１９、ハーネス２００、払出中継基板１９４、枠側可撓性配線１９７、枠側コネクタ１４４、盤側可撓性配線１６１、コネクタＡ；Ｂが、図１６に示す球切れ検出器５８と主制御装置１７３とをつなぐ配線２４５を構成する。配線２１７、コネクタ２１８、コネクタ６４、コネクタ６５、コネクタ２１９、ハーネス２００、払出中継基板１９４、枠側可撓性配線１９７、発射払出制御用コネクタ１９９、発射払出制御コネクタ２０６が、図１６に示す球切れ検出器５８と発射払出制御装置１９２とをつなぐ配線２４６を構成する。
【００５５】
図１３に示す払出モータ４６は、配線２１１、コネクタ２１２、コネクタ６１、コネクタ６５、コネクタ２１９、ハーネス２００、図１５に示す払出中継基板１９４、枠側可撓性配線１９７、発射払出制御用コネクタ１９９、発射払出制御コネクタ２０６を経由して、図１６に示す発射払出制御装置１９２に接続される。配線２１１、コネクタ２１２、コネクタ６１、コネクタ６５、コネクタ２１９、ハーネス２００、払出中継基板１９４、枠側可撓性配線１９７、発射払出制御用コネクタ１９９、発射払出制御コネクタ２０６が、図１６に示す払出モータ４６と発射払出制御装置１９２とをつなぐ配線２４７を構成する。よって、払出モータ４６は発射払出制御装置１９２で電気的に制御される。
【００５６】
図１３に示す流路切替ソレノイド１８５は、配線２２０、コネクタ２２１、コネクタ６６、コネクタ６５、コネクタ２１９、ハーネス２００、図１５に示す払出中継基板１９４、枠側可撓性配線１９７、発射払出制御用コネクタ１９９、発射払出制御コネクタ２０６を経由して、発射払出制御装置１９２に接続される。配線２２０、コネクタ２２１、コネクタ６６、コネクタ６５、コネクタ２１９、ハーネス２００、払出中継基板１９４、枠側可撓性配線１９７、発射払出制御用コネクタ１９９、発射払出制御コネクタ２０６が、図１６に示す流路切替ソレノイド１８５と図１６に示す発射払出制御装置１９２とをつなぐ配線２４８を構成する。よって、流路切替ソレノイド１８５は発射払出制御装置１９２で電気的に制御される。
【００５７】
そして、図１０に示す遊技機枠１２１が遊技店の遊技機設置構造体に取り付けられ、図１０に示す遊技盤１５５が遊技機枠１２１に装着され、図１０に示すパネル枠１２７および球皿構造体１２８が閉じられて可動枠１２３に固定され、図１０に示す球収納部１３７に球が入れられ、図１６に示す主制御装置１７３、複合制御装置１７４、図柄制御装置１７５、発射払出制御装置１９２が電力で起動し、球が遊技機設置構造体の補給機構から図５に示すタンク払出装置１の球貯蔵室１０に供給されて貯蔵され、図１６に示す球切れ検出器５８が球切れ検出信号を出力しておらず、図１６に示す扉開放スイッチ２０８が扉開放信号を出力しておらず、図１６に示す満タン検出器１８８が満タン検出信号を出力しておらず、図１６に示す一斉球抜きスイッチ２０７が球抜き信号を出力していない状態において、遊技者が図１０に示す発射操作機構１３８に触れて操作すると、図１６に示す接触検出器２３７が接触検出信号を発射払出制御装置１９２に出力し、図１６に示す可変抵抗器２３６が上記発射操作機構１３８に対する遊技者の操作量に応じた可変抵抗値を発射払出制御装置１９２に出力する。
【００５８】
これによって、発射払出制御装置１９２が例えば１分間に１００発未満の周期と可変抵抗値に応じた発射出力とで図１６に示す発射駆動源２３８を駆動すると、図１０に示す発射機構１４８が球収納部１３７から供給された球を１個ずつ発射する。この発射された球は、図１０に示す発射レール１４９で誘導されて図１５に示す外ガイドレール２２７と内ガイドレール２２８との間の発射通路を経由して遊技盤１５５の遊技領域に発射される。この遊技領域に発射された球は、遊技領域を流下する過程において、遊技領域に設けられた図外の入賞部品に入賞する。入賞部品に入賞しないで遊技領域の下部に到達した球は、遊技領域に設けられた図外のアウト口に入る。上記入賞部品に入賞した球は、図１６に示す入賞球検出器２３０によって検出される。
【００５９】
そして、入賞部品に入賞した球を検出した入賞球検出器２３０が入賞検出信号を主制御装置１７３に出力すると、主制御装置１７３が入賞検出信号の種類による賞球払出信号を複合制御装置１７４と発射払出制御装置１９２とに出力する。これによって、複合制御装置１７４が遊技演出を行うように図柄表示器１５９や表示灯２３３またはスピーカ２３４を駆動し、発射払出制御装置１９２が賞球払出信号にもとづく個数の賞球としての球を払い出すように払出モータ４６を正転方向に駆動する。これによって、図５に示すタンク払出装置１から賞球としての球が払い出される。このように、球がタンク払出装置１から払い出されるのに伴い、球検出機構４の図１６に示す払出球検出器５６が払出球検出信号を主制御装置１７３と発射払出制御装置１９２とに出力する。
【００６０】
主制御装置１７３および発射払出制御装置１９２は、払出球検出信号をタンク払出装置１から払い出された球数としてカウントアップするかまたは賞球払出信号にもとづき定められた設定賞球数をカウントダウンするかの演算処理を行う。そして、主制御装置１７３は、演算処理の結果を踏まえ、タンク払出装置１が賞球払出信号による個数の球を払い出し終わる時間が経過した時点において、タンク払出装置１による払出動作が正常であるか異常であるかを監視する。つまり、主制御装置１７３は、タンク払出装置１が賞球払出信号による個数の球を払い出し終わる時間が経過した時点において、カウントアップした値が賞球払出信号にもとづき定められた設定賞球数と一致するかまたは賞球払出信号にもとづき定められた設定賞球数からカウントダウンした値が「０」となることによって、タンク払出装置１による払出動作が正常であると判断して異常停止処理を行わないが、カウントアップした値が賞球払出信号にもとづき定められた設定賞球数と不一致となるかまたは賞球払出信号にもとづき定められた設定賞球数からカウントダウンした値が「０」とならない場合にタンク払出装置１による払出動作が異常であると判断して異常停止処理を行う。異常停止処理は、主制御装置１７３が遊技制御を停止する処理であって、図１０に示す発射機構１４８が球の発射を停止したり、図５に示すタンク払出装置１が球の払い出しを停止したりするために、発射払出制御装置１９２に異常信号を出力する。
【００６１】
前記演算処理の結果として、発射払出制御装置１９２は、タンク払出装置１が賞球払出信号による個数の球を払い出し終わる時間が経過した時点において、カウントアップした値が賞球払出信号にもとづき定められた設定賞球数と一致するかまたは賞球払出信号にもとづき定められた設定賞球数からカウントダウンした値が「０」となった場合、図５に示す球払出機構３の払出モータ４６の正転方向の駆動を停止する。また、発射払出制御装置１９２は、前述した球詰まりによる払出モータ４６の正転方向と逆転方向との駆動切替を次のように制御する。例えば、球切れ検出器５８が球貯蔵室１０に球の存在を検出していてオフ動作していることから、発射払出制御装置１９２が払出モータ４６を正転方向に駆動するような制御中において、発射払出制御装置１９２には球切れ信号が入力されずかつ賞球払出信号が一定時間入力されないことが継続した場合、または、発射払出制御装置１９２が払出モータ４６の正転方向の駆動中における出力トルクを監視し、この監視している出力トルクがしきい値である所定値よりも上昇した状態が一定時間継続した場合、発射払出制御装置１９２は図８に示す球詰まりが発生したと判断する。そして、発射払出制御装置１９２が払出モータ４６を正転方向から逆転方向に駆動するように発射払出制御装置１９２から払出モータ４６に供給する電力の極性を一定時間切り換える。これによって、払出モータ４６が逆転方向に一定時間駆動する。払出モータ４６を正転方向から逆転方向に駆動するように電力の極性を切り換える一定時間は、図９に示す退避孔２５に球Ｐ４が取り込まれるまでの時間であって、この時間が経験則から割り出して発射払出制御装置１９２に設定されている。
【００６２】
その後、発射払出制御装置１９２は、払出モータ４６を逆転方向から正転方向に駆動するように発射払出制御装置１９２から払出モータ４６に供給する電力の極性を元に戻すように切り換える。または、発射払出制御装置１９２が払出モータ４６の逆転方向の駆動中における出力トルクを監視し、この監視している出力トルクがしきい値である所定値よりも上昇した状態が一定時間継続した場合、図９に示す退避孔２５に球Ｐ４が取り込まれたと判断することによって、発射払出制御装置１９２が払出モータ４６を逆転方向から正転方向に駆動するように発射払出制御装置１９２から払出モータ４６に供給する電力の極性を元に戻すように切り換える。このように出力トルクを監視した場合は、発射払出制御装置１９２に上記経験則から割り出した一定時間に置換してしきい値を設定しておく。これによって、払出モータ４６が正転方向に駆動する。この正逆転の切替制御は、図８に示す球詰まりが、図９に示すように解消されるまでの間、所定回数行われる。そして、所定回数行われても、図８に示す球詰まりが解消されない場合、発射払出制御装置１９２は、正逆転の切替制御を停止するとともに、パチンコ店の店員による球詰まり解消を行わせるために、異常信号を図外の報知器に出力する。
【００６３】
遊技機枠１２１を裏側から見た場合、遊技機枠１２１の中央開口部１４２よりも左上部（ヒンジ１２４と反対側）に設けられたタンク構造体２が球払出機構３を備え、球払出機構３から払い出された球を遊技機枠１２１の前面に配置された図１０に示す球皿構造体１２８の球収容部１３７の側に誘導する縦樋１８２が、タンク構造体２の真下に相当する遊技機枠１２１の中央開口部１４２よりも左側に設けられている。よって、タンク構造体２と球払出機構３とをつなぐ下タンクと呼ばれる樋が不要となり、遊技機枠１２１に取り付けられる図１０に示す遊技盤１５５の裏機構を逃げるための中央開口部１４２の上下寸法を大きくすることができるという利点がある。
【産業上の利用可能性】
【００６４】
遊技機枠１２１と遊技盤１５５とが枠側ヒンジ１４３と盤側ヒンジ１６４とからなるヒンジで回転可能に取り付けられていない構造であってもよい。枠側コネクタ１４４が遊技盤１５５に設置され、電極１６２が遊技機枠１２１に設置された構造であってもよい。発射払出制御装置１９２は、１つの制御装置筐体の内部に、発射制御に必要な電気部品の実装された回路基板と、払出制御に必要な電気部品の実装された回路基板とが互いに分離された形態で装着されて構造であっても、発射制御に必要な電気部品の実装された回路基板を１つの制御装置筐体の内部に装着し、払出制御に必要な電気部品の実装された回路基板を別の１つの制御装置筐体の内部に装着した構造であってもよい。この別々の制御装置筐体とした場合、発射制御に必要な電気部品の実装された回路基板を有する制御装置筐体の方は、発射制御装置となり、払出制御に必要な電気部品の実装された回路基板を有する制御装置筐体の方は、払出制御装置となる。主制御装置１７３に置換して複合制御装置１７４またはそれ以外の遊技盤１５５の裏面に設ける部品を取り付けてもよい。可動枠本体１２５と遊技主体収納構造体１２６とが別々の材料から構成されたものを結合するか、または、可動枠本体１２５と遊技主体収納構造体１２６とが合成樹脂により単一構造体として形成してもよい。また、前述の説明で、遊技主体収納構造体１２６に取り付けたものは、可動枠１２３に取り付けたものと認識できることは明らかであろう。遊技機としては、球を遊技媒体として使用するスロットマシンであってもよい。
【図面の簡単な説明】
【００６５】
【図１】タンク払出装置を示す分解斜視図（最良の形態）。
【図２】タンク構造体と球払出機構と払出球検出機構と連結樋とを示す分解斜視図（最良の形態）。
【図３】取込部の球の移動する方向と直交する方向の断面図（最良の形態）。
【図４】取込部の球の移動する方向の断面図（最良の形態）。
【図５】タンク払出装置の外観を示す斜視図（最良の形態）。
【図６】球と螺旋払出体との関係を示す図３に類似した断面図（最良の形態）。
【図７】球と螺旋払出体との関係を示す図４に類似した断面図（最良の形態）。
【図８】球詰まりの状態を示す図４に類似する断面図（最良の形態）。
【図９】球詰まり解消の状態を示す図４に類似する断面図（最良の形態）。
【図１０】遊技機枠と遊技盤とを示す分解斜視図（最良の形態）。
【図１１】遊技機枠を示す裏面図（最良の形態）。
【図１２】遊技機枠を示す平面図（最良の形態）。
【図１３】中継基板の配線構造を示す平面図（最良の形態）。
【図１４】遊技機枠にタンク払出装置を取り付けた側面的な断面図（最良の形態）。
【図１５】パチンコ機を示す裏面図（最良の形態）。
【図１６】パチンコ機の電気系統を示すブロック図（最良の形態）。
【符号の説明】
【００６６】
１      タンク払出装置
２      タンク構造体
３      球払出機構
４      払出検出機構
１０    球貯蔵室
１７    供給口
１８    取込部
１９    受空間部
２６    球出口
４７    螺旋払出体
５２    螺旋体
５５    払出検出機構躯体
５６    払出球検出器
１２１  遊技機枠
【図１】
2006006518.tif 000003
【図２】
2006006518.tif 000004
【図３】
2006006518.tif 000005
【図４】
2006006518.tif 000006
【図５】
2006006518.tif 000007
【図６】
2006006518.tif 000008
【図７】
2006006518.tif 000009
【図８】
2006006518.tif 000010
【図９】
2006006518.tif 000011
【図１０】
2006006518.tif 000012
【図１１】
2006006518.tif 000013
【図１２】
2006006518.tif 000014
【図１３】
2006006518.tif 000015
【図１４】
2006006518.tif 000016
【図１５】
2006006518.tif 000017
【図１６】
2006006518.tif 000018